(57)【要約】【課題】カバーを箱体に容易に装着可能な回路板収納構造および電気接続箱を提供する。【解決手段】箱体５の側面２１ａにおける回路板収納構造であって、箱体５の側面２１ａに、電子回路板３０が収容される収納部２３が設けられ、収納部２３の開放側に、電子回路板３０に装備された外部接続用のコネクタ３５が収容され、コネクタ３５の周囲を覆うカバー１０が設けられ、箱体５の収納部２３の開放側にカバー１０が装着されるときに、カバー１０の内面に、コネクタ３５または電子回路板３０の配線基板３１に当接してコネクタ３５の前面部３７ａをカバー１０に設けられた開口部１７へ導く案内部１５が設けられた。前記案内部１５は、テーパ部１５ａを備え、テーパ部１５ａは、前記コネクタ３５の前記前面部３７ａと摺接可能とされた。電気接続箱１に前記回路板収納構造が構成された。【選択図】図１
2005136153.tif 000002
【特許請求の範囲】
【請求項１】
箱体の側面における回路板収納構造であって、前記箱体の前記側面に、電子回路板が収容される収納部が設けられ、該収納部の開放側に、該電子回路板に装備された外部接続用のコネクタが収容され、該コネクタの周囲を覆うカバーが設けられ、該箱体の該収納部の該開放側に該カバーが装着されるときに、該カバーの内面に、該コネクタまたは該電子回路板の配線基板に当接して該コネクタの前面部を該カバーに設けられた開口部へ導く案内部が設けられたことを特徴とする回路板収納構造。
【請求項２】
前記案内部は、テーパ部を備え、該テーパ部は、前記コネクタの前記前面部と摺接可能とされたことを特徴とする請求項１記載の回路板収納構造。
【請求項３】
請求項１又は２記載の回路板収納構造が構成されたことを特徴とする電気接続箱。
【発明の詳細な説明】
【技術分野】
【０００１】
本発明は、自動車のワイヤハーネスなどと接続される電子回路板における回路板収納構造および電気接続箱に関するものである。
【背景技術】
【０００２】
図６は、従来のプリント配線基板の収容ケースの一形態を示すものである（例えば特許文献１参照）。
【０００３】
このプリント配線基板の収容ケースは、ケース本体５０１すなわち箱体５０１と、蓋５０２すなわちカバー５０２との組合せからなるものとされている。箱体５０１の一端面が開放されている。また、両側壁５０７面内に、プリント配線基板５０４すなわち電子回路板５０４の両側壁がそれぞれスライド自在に挿入可能なガイド溝５０８が形成されている。箱体５０１の上壁５０９に、電子回路板５０４のコネクタ５０６に対向したスリット５１０が、開放端面５０３に開放されて形成されている。また、スリット５１０の両側辺に、ケース内方に向けられた両側壁５１１が形成されている。両側壁５１１の下縁に、相対向した突条５１２が形成されている。
【特許文献１】実開昭６１−１７１２９５号公報（第１頁、第１−３図）
【０００４】
また、他の従来のものとして、シールドケースに取り付けられているコネクタを介して、内部回路と、外部回路との間で雑音信号による干渉が生じないようにされた車両用電子制御装置というものもある（例えば特許文献２参照）。
【特許文献２】特開２００１−２２３４８９号公報（第１−２頁、第１−３図）
【０００５】
また、電子回路基板が収容されたケースに樹脂が充填されたときに、樹脂のケース外周への付着を防止させ、さらに、電子回路基板を確実に保持させると共に、ケース開口端の強度を向上させた電子回路基板の収容ケースというものもある（例えば特許文献３参照）。
【特許文献３】特開２００１−２３７５５７号公報（第１−２頁、第１−３図）
【発明の開示】
【発明が解決しようとする課題】
【０００６】
しかしながら、図６に示す上記従来のプリント配線基板の収容ケースにあっては、ワイヤハーネスの配索経路や、レイアウトの都合上、例えばカバー（５０２）からコネクタ（５０６）が貫通突出されるものとされた場合、箱体（５０１）にコネクタ（５０６）を備える電子回路板（５０４）が装着され、このものにカバー（５０２）を装着させるという取付作業は、困難な作業とされることが懸念される。
【０００７】
本発明は、上記した点に鑑み、箱体および電子回路板に容易にカバーを装着させることができる回路板収納構造および電気接続箱を提供することを目的とする。
【課題を解決するための手段】
【０００８】
上記目的を達成するために、本発明の請求項１に係る回路板収納構造は、箱体の側面における回路板収納構造であって、前記箱体の前記側面に、電子回路板が収容される収納部が設けられ、該収納部の開放側に、該電子回路板に装備された外部接続用のコネクタが収容され、該コネクタの周囲を覆うカバーが設けられ、該箱体の該収納部の該開放側に該カバーが装着されるときに、該カバーの内面に、該コネクタまたは該電子回路板の配線基板に当接して該コネクタの前面部を該カバーに設けられた開口部へ導く案内部が設けられたことを特徴とする。
【０００９】
上記構成により、コネクタの前面部をカバーに設けられた開口部へ導く案内部が、カバーの内面に設けられているから、カバーが箱体の収納部の開放側に装着されるときに、カバーの内面に設けられた案内部により、コネクタの前面部は、カバーの開口部へ導かれることとなる。従って、カバーに前記案内部が設けられることにより、カバーは、容易に箱体に装着されることとなる。
【００１０】
請求項２に係る回路板収納構造は、請求項１に係る回路板収納構造において、前記案内部は、テーパ部を備え、該テーパ部は、前記コネクタの前記前面部と摺接可能とされたことを特徴とする。
【００１１】
上記構成により、カバーが箱体の収納部の開放側に装着されるときに、カバーのテーパ部にコネクタの前面部が摺接されつつ、コネクタの前面部は、カバーの開口部へ導かれることとなる。従って、電子回路板に装着されたコネクタは、スムーズにカバーの開口部へ案内されることとなる。
【００１２】
請求項３記載の電気接続箱は、請求項１又は２記載の回路板収納構造が構成されたことを特徴とする。
【００１３】
上記構成により、電気接続箱が組み立てられるときの作業性が向上されることとなる。従って、電気接続箱は、容易に組み立てられることとなる。また、箱体にカバーを容易に装着させることができる電気接続箱が提供されることとなる。
【発明の効果】
【００１４】
以上の如く、請求項１記載の発明によれば、カバーに前記案内部が設けられることにより、カバーを箱体に容易に装着させることができる。
【００１５】
請求項２記載の発明によれば、電子回路板に装着されたコネクタを、スムーズにカバーの開口部へ案内させることができる。
【００１６】
請求項３記載の発明によれば、容易に電気接続箱を組み立てることができる。また、箱体にカバーを容易に装着させることができる電気接続箱を提供することができる。
【発明を実施するための最良の形態】
【００１７】
以下に本発明に係る回路板収納構造および電気接続箱の一実施形態を図面に基づいて詳細に説明する。
【００１８】
図１は、本発明に係る回路板収納構造および電気接続箱の一実施形態を示す説明図、図２は、箱体に電子回路板とカバーとが装着される状態を示す説明図、図３は、箱体に電子回路板とカバーとが装着された状態を示す説明図、図４（ａ）は、カバーを示す正面図、図４（ｂ）はカバーを示す背面図、図５は、本発明に係る電気接続箱の一実施形態を示す分解斜視図である。
【００１９】
図５を用いて電気接続箱１における上下方向について説明すると、インナカバー８０に対し、アウタカバー５０が位置する側を上側とし、基板カバー２０が位置する側を下側とする。なお、この明細書における「上下」の定義は、便宜上のものとされ、回路板収納構造および電気接続箱の実使用時における上下方向と必ずしも一致するものではない。例えば、図５に示すカバー１０および電子回路板３０および箱体５を構成する基板カバー２０に対し、図１〜図３に示すカバー１０および電子回路板３０および箱体５を構成する基板カバー２０は、上下逆さまな状態とされている。図１〜図３は、箱体５を構成する基板カバー２０に、電子回路板３０およびカバー１０が組み付けられる状態の一例を示すものとされている。
【００２０】
図５の如く、電気接続箱１は、箱体５を構成する合成樹脂製のインナカバー８０と、インナカバー８０の下方に装着される電子制御回路基板４０と、電子制御回路基板４０を覆い箱体５を構成する合成樹脂製の基板カバー２０と、この基板カバー２０に挿着される電子回路板３０と、電子回路板３０の基板部３１を覆う合成樹脂製のカバー１０と、インナカバー８０に側方から装着されるパワーブロック１００と、外部のものから各ヒューズ１２０を保護するため各ヒューズ１２０が装着されたパワーブロック１００に取り付けられる合成樹脂製のヒューズカバー１１０と、インナカバー８０に上方からスライドされて係合固定される各コネクタブロック６０，７０と、両コネクタブロック６０，７０の間でインナカバー８０上に配索される複数のバスバー９０と、両コネクタブロック６０，７０の間でインナカバー８０に上方から積層され、各コネクタブロック６０，７０や、パワーブロック１００や、各バスバー９０に接続される布線板１３０もしくは配線モジュール１４０と、コネクタブロック６０，７０や配線モジュール１４０などを覆い箱体５を構成する合成樹脂製のアウタカバー５０とを備えるものとして構成されている。
【００２１】
インナカバー８０の基板部８１に、複数のバスバー９０が配索される。また、布線板１３０は、複数の電線（図示せず）を備えるものとして構成される。各バスバー９０は、布線板１３０の前記電線に接続される。また、布線板１３０の上に配線モジュール１４０が装着される。また、各バスバー９０は、電子制御回路基板４０に装備されたコネクタ４８に接続される。
【００２２】
電子制御回路基板４０には、これの回路導体（図示せず）に半田付けされたＰＣＢ用コネクタ４５も装備されている。「ＰＣＢ」は、「Printed Circuit Board 」の略称とされる。また、電子制御回路基板４０には、各種電子部品４３が装備され、電子制御回路基板４０は、ＥＣＵを備えるものとされている。「ＥＣＵ」は、電子制御装置を意味し、「Electronic Control Unit 」の略称とされる。電子制御回路基板４０いわゆる電子ユニット４０は、ねじ等の止具（図示せず）が用いられてインナカバー８０に取り付けられる。
【００２３】
また、電子回路板３０の配線基板３１上に、コンデンサ、抵抗、ダイオード、ＩＣなどの各種電子部品（図示せず）が装備される。電子回路板３０もＥＣＵを備えるものとされている。電子回路板３０のＥＣＵは、ゲートウエイＥＣＵとされている。ゲートウエイとは、局部的に閉じた通信網と、その外部の網を接続する接続箇所を意味する。詳しく説明すると、ゲートウエイとは、異なるネットワークアーキテクチャをもつ二つの計算機ネットワークを相互に接続する機能単位を意味するものとされている。
【００２４】
電子回路板３０が装着される基板カバー２０（図１〜図３，図５）は、略平板状の基壁部２１と、前記基壁部２１から略矩形箱状に膨出形成されて電子回路板３０を外部のものから保護する周壁部２２と、略平板状の基壁部２１に対し略直交する方向に延設された側壁部２４とを備えるものとして形成されている。基板カバー２０（図５）に、一対の係止突起状の係止部２９が設けられている。
【００２５】
また、基板カバー２０に装着されるカバー１０は、図１，図４の如く、略平板状の基部１１と、この基部１１に対し、略直交する方向に突出された周縁部１２（図１，図４（ｂ））とを備えるものとして形成されている。図５の如く、基板カバー２０に設けられた一対の係止突起状の係止部２９に対応して、カバー１０に、一対の矩形枠状の係合部１９（図１，図４，図５）が設けられている。
【００２６】
配線モジュール１４０（図５）は、配線基板部材１５０と、この配線基板部材１５０に重ねられる他の配線基板部材１６０と、前記配線基板部材１５０と前記他の配線基板部材１６０との間に介在される絶縁シート１７０とを備えるものとして構成されている。モジュールとは、装置、機械、システムを構成するものとされ、機能的にまとまったものを意味する。絶縁シート１７０は、配線基板部材１５０に備えられる硬銅線（図示せず）と、他の配線基板部材１６０に備えられる硬銅線（図示せず）とを絶縁する働きをする。これらのものがインナカバー８０に装着された後に、これらの上にアウタカバー５０が被せられる。
【００２７】
図１〜図３，図５の如く、この回路板収納構造は、箱体５を構成する基板カバー２０の側面２１ａにおける構造のものとされている。図５の如く、箱体５は、各種部品が装着されるインナカバー８０と、インナカバー８０の上側に取り付けられるアウタカバー５０と、インナカバー８０の下側に取り付けられる基板カバー２０とを備えるものとして構成されている。
【００２８】
図１〜図３，図５の如く、箱体５を構成する基板カバー２０の側面２１ａに、電子回路板３０が収容される収納部２３が設けられている。収納部２３の開放部２３ａ側に小型カバー１０が取り付けられる。また、電子回路板３０にコネクタ３５が装備されている。このコネクタ３５は、雄端子（図示せず）と、各雄端子を保護するコネクタハウジング３６とを備えるものとして構成されている。コネクタ３５の前記雄端子は、電子回路板３０の回路体（図示せず）に通電可能に接続されている。外部接続用のコネクタ３５の大部分が基板カバー２０内に収容されるために、コネクタハウジング３６の周壁３７の一部を覆う小型カバー１０が、基板カバー２０に取り付けられる。
【００２９】
図１および図４（ｂ）の如く、小型カバー１０の内面部１０ａに案内部１５が設けられている。図４（ｂ）の如く、３ヶ所の案内部１５が、小型カバー１０における左右幅方向Ｘに沿って略等間隔に設けられている。この案内部１５は、基板カバー２０（図１〜図３）の収納部２３の開放部２３ａ側に小型カバー１０が装着されるときに、電子回路板３０のコネクタ３５の前面部３７ａに当接して、コネクタ３５の前面部３７ａを、小型カバー１０に設けられた開口部１７へ導く役目をするものとされている。
【００３０】
電子回路板（３０）の設計仕様などにより、例えば、電子回路板（３０）の配線基板（３１）の前端部（３３）に小型カバー（１０）の案内部（１５）が当接されて、コネクタ（３５）の前面部（３７ａ）が、小型カバー（１０）に設けられた開口部（１７）へ導かれるものも使用可能とされる。
【００３１】
コネクタ３５の前面部３７ａを小型カバー１０に設けられた開口部１７へ導く案内部１５が、小型カバー１０の内面部１０ａに設けられているから、小型カバー１０が基板カバー２０の収納部２３の開放部２３ａ側に装着されるときに、小型カバー１０の内面部１０ａに設けられた案内部１５により、コネクタ３５の前面部３７ａは、小型カバー１０の開口部１７へ導かれて、小型カバー１０の開口部１７に挿入される。
【００３２】
図１〜図３に示す状態で、基板カバー２０に、電子回路板３０と、小型カバー１０とが嵌め込まれるときに、図２の如く、自重によりコネクタ３５側がやや下がった電子回路板３０は、小型カバー１０に設けられた案内部１５により、正規の姿勢に戻されつつ基板カバー２０に組み付けられる（図３）。従って、小型カバー１０に上記案内部１５が設けられることにより、小型カバー１０を基板カバー２０に容易かつスムーズに装着させることができる。
【００３３】
図１〜図３の如く、小型カバー１０に設けられた案内部１５は、コネクタ３５の前面部３７ａを小型カバー１０に設けられた開口部１７へと導くテーパ部１５ａを備えるものとされている。テーパ部１５ａは、コネクタ３５の前面部３７ａと摺接可能な傾斜状のテーパ面１５ａを備えるものとして形成されている。図１の如く、テーパ面１５ａは、小型カバー１０の周縁部１２側の始端部１５ｂから開口部１７側の終端部１５ｃにかけて設けられた略平面状の傾斜面とされている。
【００３４】
小型カバー１０が基板カバー２０の収納部２３の開放部２３ａ側に装着されるときに、小型カバー１０のテーパ面１５ａにコネクタ３５の前面部３７ａの角部３７ｂ（図２）が摺接されつつ、コネクタ３５の前面部３７ａは、小型カバー１０の開口部１７へ導かれる（図３）。従って、電子回路板３０に装着されたコネクタ３５を、スムーズに小型カバー１０の開口部１７へ案内させることができる。
【００３５】
また、図１および図４（ｂ）の如く、小型カバー１０に設けられた複数の案内部１５は、小型カバー１０の基部１１の内面部１１ａと、小型カバー１０の周縁部１２の内面部１２ａとを結ぶものとして形成されていることから、小型カバー１０の設計仕様などにより、小型カバー１０の案内部１５は、小型カバー１０の強度を向上させる補強リブ１５として機能することも期待される。
【００３６】
また、周壁部２２の両側壁部２２ａの内側に、電子回路板３０の基板部３１の両端部３１ｓ，３１ｔ（図５）がガイドされつつ導入される溝２６（図１〜図３，図５）が形成されている。図１の如く、この溝２６は、収納部２３内から収納部２３の開放部２３ａにかけて徐々に広げられて形成されている。溝２６は、収納部２３の内側から収納部２３の開放部２３ａにかけて溝２６が広げられるように傾斜された第一側面部２６ａと、第一側面部２６ａと対向し基板カバー２０の基壁部２１に略水平な第二側面部２６ｂとを少なくとも備えるものとして形成されている。また、電子回路板３０の基板部３１を基板カバー２０の溝２６に挿入させ易くする略湾曲面状のテーパガイド面２６ｆおよび略平面状のテーパガイド面２６ｇが、溝２６の挿入部２６ｅに設けられている。
【００３７】
図１の如く、箱体５を構成する基板カバー２０に電子回路板３０が装着されるときに、先ず、電子回路板３０を構成する基板部３１の両端部３１ｓ，３１ｔの奥端部３２が、基板カバー２０の周壁部２２の側壁部２２ａに設けられた溝２６の挿入部２６ｅのテーパガイド面２６ｆ，２６ｇによりガイドされて、電子回路板３０の基板部３１は、基板カバー２０の溝２６内に案内される。基板カバー２０を構成する周壁部２２の両側壁部２２ａに溝２６が設けられ、溝２６の挿入部２６ｅに、テーパガイド面２６ｆ，２６ｇが設けられていれば、電子回路板３０は、基板カバー２０に容易に挿着されることとなる。
【００３８】
次に、電子回路板３０を構成する基板部３１の両端部３１ｓ，３１ｔの第一面部３１ａが、図２の如く、周壁部２２の両側壁部２２ａ内側に設けられた溝２６の第一側面部２６ａに摺接される。このように、基板カバー２０を構成する周壁部２２の両側壁部２２ａ内側に、傾斜された第一側面部２６ａを備える溝２６が形成されていれば、電子回路板３０は、基板カバー２０に容易に挿着されることとなる。従って、箱体５を構成する基板カバー２０への電子回路板３０の組付け作業性は、向上されることとなる。
【００３９】
小型カバー１０のテーパ面１５ａにコネクタ３５の前面部３７ａの角部３７ｂ（図２）が案内摺接されて、電子回路板３０のコネクタ３５の前面部３７ａが小型カバー１０の開口部１７へ挿入されるのと略同時に、電子回路板３０を構成する基板部３１の両端部３１ｓ，３１ｔの第二面部３１ｂが、周壁部２２の両側壁部２２ａ内側に設けられた溝２６の第二側面部２６ｂに当接される（図３）。
【００４０】
また、略同時に、コネクタ３５と反対側の基板部３１の奥端部３２が、基板カバー２０を構成する周壁部２２の奥壁部２５の内面部２５ａに当接される。また、基板部３１の奥端部３２は、基壁部２１に立設され、且つ、奥壁部２５に設けられた突出部２５ｔの先端部２５ｕに接する。また、基板部３１の前端部３３（図１，図２）に、小型カバー１０の基部１１の内面部１１ａが当接される（図３）。このようにして、電子回路板３０は、位置決めされつつ箱体５を構成する基板カバー２０に装着される。上記形状の溝２６が、基板カバー２０の周壁部２２の側壁部２２ａに設けられていれば、例えば電気接続箱１が自動車（図示せず）内の狭い部分に装着されていても、電子回路板３０の点検、交換が行われるときの電子回路板３０の着脱作業は、行われ易いものとなる。
【００４１】
また、電子回路板３０が位置決めされつつ箱体５を構成する基板カバー２０に装着されるときに、小型カバー１０（図１，図４，図５）の基部１１の両側に設けられた一対の矩形枠状の係合部１９が、基板カバー２０（図５）の周壁部２２の側壁部２２ａに設けられた一対の係止突起状の係止部２９に係り合わせられることで、小型カバー１０は、箱体５を構成する基板カバー２０に確実に取り付けられる。小型カバー１０の略矩形状の周縁部１２（図１，図２）が、基板カバー２０の矩形開口形状の開放部２３ａに合わせられて、小型カバー１０は、箱体５を構成する基板カバー２０に取り付けられる（図３）。
【００４２】
図１〜図３に示す前記回路板収納構造は、図５の如く、電機接続箱１に構成されている。これにより、電気接続箱１が組み立てられるときの作業性が向上される。従って、容易に電気接続箱１を組み立てることができる。また、箱体５に小型カバー１０を容易に装着させることができる電気接続箱１を、自動車部品組立メーカなどに提供することができる。
【００４３】
電気接続箱は、ジャンクションボックスもしくはジャンクションブロック（Ｊ／Ｂ）、リレーブロック（Ｒ／Ｂ）、接続ユニット等を意味し、一般に、ジャンクションボックスもしくはジャンクションブロック（Ｊ／Ｂ）または接続ユニット等の内部に、電子制御装置（ＥＣＵ）が装備される。
【００４４】
以下に電気接続箱１の組立手順の一例について図５に基づいて説明する。
【００４５】
インナカバー８０の基板部８１に、複数のバスバー９０が配索される。また、ねじ等の止具（図示せず）が用いられて、電子ユニット４０がインナカバー８０に装着される。そのときに、電子ユニット４０に装備されたコネクタ４８と、各バスバー９０とが、通電可能に接続される。
【００４６】
コネクタブロック６０のコネクタハウジング６６に設けられた断面略Ｔ字状のスライド掛止部６８が、インナカバー８０に設けられた断面略Ｔ溝状のスライド掛合部８８Ａに合わせられ、コネクタブロック６０のコネクタハウジング６６に設けられた係止突起状の係止部６９が、インナカバー８０に設けられた係合部（図示せず）に係り合わせられることで、コネクタブロック６０がインナカバー８０に装着固定される。
【００４７】
また、コネクタブロック７０のコネクタハウジング７６に設けられた断面略Ｔ字状のスライド掛止部７８が、インナカバー８０に設けられた断面略Ｔ溝状のスライド掛合部８８Ｂに合わせられ、コネクタブロック７０のコネクタハウジング７６に設けられた係止突起状の係止部７９が、インナカバー８０に設けられた係合部（図示せず）に係り合わせられることで、コネクタブロック７０がインナカバー８０に装着固定される。
【００４８】
また、パワーブロック１００のハウジング１０６に設けられた断面略Ｔ字状のスライド掛止部１０８が、インナカバー８０に設けられた断面略Ｔ溝状のスライド掛合部８８Ｃに合わせられ、パワーブロック１００のハウジング１０６に設けられた係止突起状の係止部１０９が、インナカバー８０に設けられた係合部（図示せず）に係り合わせられることで、パワーブロック１００がインナカバー８０に装着固定される。
【００４９】
パワーブロック１００に所定のヒューズ１２０が装着されていることが確認された後に、パワーブロック１００にヒューズカバー１１０が装着される。パワーブロック１００に対するヒューズカバー１１０の装着作業は、電気接続箱１の組立工程の途中で行われてもよく、また、電気接続箱１が自動車部品組立メーカなどに出荷される前であってもよく、また、電気接続箱１の組立が行われる工程の最後に行われてもよい。
【００５０】
インナカバー８０の基板部８１上において、両コネクタブロック６０，７０の間に布線板１３０が装着される。各バスバー９０は、布線板１３０の電線（図示せず）に通電可能に接続される。また、布線板１３０の上に、予め組み立てられた上記配線モジュール１４０が装着され、各部と、配線モジュール１４０とが通電可能に接続される。
【００５１】
また、アウタカバー５０に設けられた係合部５９Ｌが、インナカバー８０に設けられた係止部８９Ｌに係り合わせられることで、アウタカバー５０がインナカバー８０に装着固定される。
【００５２】
また、基板カバー２０に設けられた係合部２９Ｐが、インナカバー８０に設けられた係止部８９Ｐに係り合わせられることで、基板カバー２０がインナカバー８０に装着固定される。
【００５３】
基板カバー２０に電子回路板３０が装着され、小型カバー１０が基板カバー２０に装着されることで、電子回路板３０は、確実に基板カバー２０に固定される。そのときに、電子回路板３０のコネクタ３５は、図２の如く、自重により配線基板３１の奥端部３２よりもやや下がった状態とされる。次に、小型カバー１０により、電子回路板３０が基板カバー２０の収納部２３内に向けて押圧されることにより、コネクタ３５の前面部３７ａの角部３７ｂは、小型カバー１０に設けられた周縁部１２側の始端部１５ｂから開口部１７側の終端部１５ｃにかけて傾斜されたテーパ面１５ａ上を押し上げられる。これにより、電子回路板３０は、正規の姿勢に戻されつつ基板カバー２０に組み付けられる（図３）。小型カバー１０（図１，図４，図５）に設けられた係合部１９が、基板カバー２０（図５）に設けられた係止部２９に係り合わせられることで、小型カバー１０および電子回路板３０は、基板カバー２０に装着固定される（図３）。
【００５４】
小型カバー１０に設けられた案内部１５により、小型カバー１０の開口部１７に導かれたコネクタ３５の前面部３７ａは、図３の如く、小型カバー１０の開口部１７から小型カバー１０の外部に露出され、相手側コネクタ（図示せず）と接続可能な状態とされる。電気接続箱１（図５）の設計仕様などにより、例えば自動車部品組立メーカなどで、電子回路板３０および小型カバー１０が基板カバー２０に装着固定されてもよい。
【００５５】
その後、各コネクタ３５，４５，６５，７５に、ワイヤハーネス（図示せず）の相手側コネクタ（図示せず）が通電可能に接続される。不図示のワイヤハーネスは、電気接続箱１から自動車（図示せず）に装備される各電装品（図示せず）へと延設されている。不図示のワイヤハーネスは、不図示の自動車に張り巡らされている。電気接続箱１と、不図示の各電装品とは、不図示のワイヤハーネスにより通電可能に接続される。
【図面の簡単な説明】
【００５６】
【図１】本発明に係る回路板収納構造および電気接続箱の一実施形態を示す説明図である。
【図２】箱体に電子回路板とカバーとが装着される状態を示す説明図である。
【図３】箱体に電子回路板とカバーとが装着された状態を示す説明図である。
【図４】（ａ）はカバーを示す正面図、（ｂ）はカバーを示す背面図である。
【図５】本発明に係る電気接続箱の一実施形態を示す分解斜視図である。
【図６】従来のプリント配線基板の収容ケースの一形態を示す分解斜視図である。
【符号の説明】
【００５７】
１      電気接続箱
５      箱体
１０    カバー（小型カバー）
１５    リブ（案内部）
１５ａ  テーパ面（テーパ部）
１７    開口部
２０    基板カバー
２１ａ  側面
２３    収納部
３１    配線基板（基板部）
３０    電子回路板
３５    コネクタ
３７ａ  前面部
【図１】
2005136153.tif 000003
【図２】
2005136153.tif 000004
【図３】
2005136153.tif 000005
【図４】
2005136153.tif 000006
【図５】
2005136153.tif 000007
【図６】
2005136153.tif 000008